(57)【特許請求の範囲】
【請求項１】
来訪者を撮像するテレビカメラ（１１）、呼出のための呼出ボタン（１２）および通話のための子機送受話部（１３、１４）を有するドアホン子機（１）と、前記ドアホン子機に接続され前記ドアホン子機のテレビカメラで撮像された映像を出画するテレビＣＲＴ（２１）、前記ドアホン子機と通話するための親機送受話部（２２、２３）、前記通話のための操作ボタン（２４）および前記出画のための操作ボタン（２５）を有するインターホン親機（２）とを備え、前記インターホン親機には、側部に突起（３０）を有し前記テレビＣＲＴを被覆するＣＲＴカバー（３）と、前記突起が挿入される穴部（５４）を有し前記ＣＲＴカバーを固定する上筐体（５）とを設け、前記ＣＲＴカバーは、前記上筐体と前記ＣＲＴカバーの前面に配され前記上筐体を被蓋するパネル（６）とで挟持して固定されることを特徴とするテレビインターホン装置。
【発明の詳細な説明】
【０００１】
【発明の属する技術分野】
本発明は、テレビインターホン装置に係わり、特に、インターホン親機にテレビＣＲＴを被覆するＣＲＴカバーを備えるテレビインターホン装置に関する。
【０００２】
【従来の技術】
従来から、この種のテレビインターホン装置として、図３に示すようなものが知られている。同図において、従来のテレビインターホン装置は、ドアホン子機１００と、インターホン親機２００とを備えており、ドアホン子機１００とインターホン親機２００とは、伝送路Ｌ１００を介して接続されている。
【０００３】
ドアホン子機１００は、来訪者を撮像するテレビカメラ１１０、呼出のための呼出ボタン１２０および通話のための子機スピーカ１３０と子機マイク１４０とで構成される子機送受話部を備えている。
【０００４】
インターホン親機２００は、ドアホン子機１００のテレビカメラ１１０で撮像された映像を出画するテレビＣＲＴ（陰極線管）２１０、ドアホン子機１００と通話するための親機スピーカ２２０と親機マイク２３０とで構成される親機送受話部、通話のための操作ボタン２４０（以下、「通話操作ボタン）という。）および出画のための操作ボタン２５０（以下、「出画操作ボタン）という。）を備えている。
【０００５】
図４は、インターホン親機の分解斜視図を示している。同図において、インターホン親機２００は、前面開放の四角形状の下筐体４００と、この下筐体４００の前面に被蓋される上筐体５００とを備えている。
【０００６】
下筐体４００は、略四角形状の底板４１０と、この底板４１０の外周縁に上向きに連設された下枠体４２０とを備えており、この底板４１０上には、通話回路や映像回路等を実装した回路基板４３０が取付けられている。そして、この回路基板４３０の上面部には、テレビＣＲＴ２１０がそのテレビ表示部２１０ａを上部に、偏向ヨーク２１０ｂを下部に配置させて取付けられている。
【０００７】
上筐体５００は、下筐体４００の前面を被蓋する蓋体５１０と、この蓋体５１０の外周縁に下向きに連設された上枠体５２０とを備えており、蓋体５１０の上部にはテレビ表示部２１０ａと略同形状の開口部５１０ａが設けられ、この開口部５１０ａの周縁部には、周縁部から開口部５１０ａの中心部に向かってフランジ部５１０ｂが形成されている。そして、蓋体５１０の下部右側には、通話操作ボタン２４０が設けられ、この通話操作ボタン２４０の上部には出画操作ボタン２５０が設けられている。また、蓋体５１０の下部左側には、放音格子スリット５３０が設けられ，この放音格子スリット５３０に対応する蓋体５１０の背面側には親機スピーカ２２０が取付けられている。更に、蓋体５１０の上部右側には、収音格子スリット５４０が設けられ、この収音格子スリット５４０に対応する蓋体５１０の背面側には親機マイク２３０が取付けられている。なお、親機スピーカ２２０および親機マイク２３０は、それぞれ、リード線２２０ａ、２３０ａを介して回路基板４３０に電気的に接続されている。
【０００８】
ＣＲＴカバー６００は、テレビＣＲＴ２１０の前面を被覆するもので、次のようにして上筐体５００の開口部５１０ａの前面に取付けられている。
【０００９】
先ず、ＣＲＴカバー６００の外周縁部の背面側に、すなわち、ＣＲＴカバー６００の糊代面６１０に接着剤を塗布し、次いで、かかるＣＲＴカバー６００を、その糊代面６１０を上筐体５００のフランジ部５１０ｂの上面に載置する如くして接着し、固定する。これにより、テレビＣＲＴ２１０の前面がＣＲＴカバー６００によって被覆される。
【００１０】
【発明が解決しようとする課題】
しかしながら、このようなＣＲＴカバーの取付においては、取付作業中に、作業者がＣＲＴカバーの糊代面に塗布した接着剤に不用意に接触するおそれがあり、また、ＣＲＴカバーの糊代面を上筐体のフランジ部に合致させて接着・固定しなければならないので、慎重な作業が要求されるという難点があり、更に、接着剤の不良や経年劣化により、ＣＲＴカバーが上筐体から剥がれてしまうという難点もあった。
【００１１】
本発明は、上述の難点を解決するためになされたもので、上筐体の開口部にＣＲＴカバーを容易に取付けることができ、また、上筐体に取付けたＣＲＴカバーが容易に離脱するおそれのないテレビインターホン装置を提供することを目的としている。
【００１２】
【課題を解決するための手段】
この目的を達成するため、本発明によるテレビインターホン装置は、来訪者を撮像するテレビカメラ、呼出のための呼出ボタンおよび通話のための子機送受話部を有するドアホン子機と、ドアホン子機に接続されドアホン子機のテレビカメラで撮像された映像を出画するテレビＣＲＴ、ドアホン子機と通話するための親機送受話部および出画のための操作ボタンを有するインターホン親機とを備え、インターホン親機には、側部に突起を有しテレビＣＲＴを被覆するＣＲＴカバーと、突起が挿入される穴部を有しＣＲＴカバーを固定する上筐体とを設け、ＣＲＴカバーは、筐体とＣＲＴカバーの前面に配され筐体を被蓋するパネルとで挟持して固定されることを特徴としている。
【００１３】
本発明のテレビインターホン装置によれば、ＣＲＴカバーの突起を上筐体の穴部に挿入することにより、簡単にＣＲＴカバーを上筐体に取り付けることができ、また、ＣＲＴカバーを上筐体と上筐体を被蓋するパネルとで挟持して固定することにより、ＣＲＴカバーが上筐体から容易に離脱するおそれがなくなる。
【００１４】
【発明の実態の形態】
以下、本発明のテレビインターホン装置を適用した好ましい実施の形態例について、図面を参照して詳述する。
【００１５】
図１は、本発明のテレビインターホン装置の一実施例を示すシステム構成図を示している。
【００１６】
図１において、本発明のテレビインターホン装置は、通常、住戸の玄関に設置されるドアホン子機１と、住戸内に設置されるインターホン親機２とを備えており、ドアホン子機１とインターホン親機２とは、ペヤ線で構成される伝送路Ｌ１を介して接続されている。
【００１７】
ドアホン子機１は、来訪者を撮像するテレビカメラ１１、呼出のための呼出ボタン１２および通話のための子機スピーカ１３と子機マイク１４とで構成される子機送受話部を備えている。
【００１８】
インターホン親機２は、ドアホン子機１のテレビカメラ１１で撮像された映像を出画するテレビＣＲＴ２１、ドアホン子機１と通話するための親機スピーカ２２と親機マイク２３とで構成される親機送受話部、通話操作ボタン２４および出画操作ボタン２５とを備えている。
【００１９】
図２（ａ）は、本発明におけるインターホン親機の分解斜視図、図２（ｂ）は、図２（ａ）のＡ部拡大図、図２（ｃ）は、図２（ａ）のＢ部拡大図を示している。図２（ａ）において、インターホン親機は、前面開放の四角形状の下筐体４と、下筐体４の前面に被蓋される上筐体５と、テレビＣＲＴを被覆するＣＲＴカバー３および上筐体の前面を被蓋するパネル６とを備えている。
【００２０】
下筐体４は、略四角形状の底板４０と、この底板４０の外周縁に上向きに連設された下枠体４１とを備えており、底板４０上には、通話回路や映像回路等を実装した回路基板（不図示）が取付けられ、この回路基板の上面には、テレビＣＲＴがそのテレビ表示部２１ａを上部に、偏向ヨーク２１ｂを下部に配置させて取付けられている。
【００２１】
上筐体５は、下筐体４の前面を被蓋する蓋体５０と、この蓋体５０の外周縁に下向きに連設された上枠体５１とを備えており、蓋体５０の前面側には、後述するパネル６を装着する四角形状の装着孔５０ａが設けられている。なお、蓋体５０の上半部には、四角形状の中枠５０ｂが存在し、下半部には、中蓋５３が存在している。また、中枠５０ｂにはテレビ表示部２１ａと略同形状の開口部５２ａを有する窓枠５２が存在している。
【００２２】
しかして、中枠５０ｂの４隅には切欠部５０ｃが設けられ、この切欠部５０ｃに対応する位置の窓枠５２には、すなわち、窓枠５２の４隅には、それぞれ穴部５４が設けられている。ここで、穴部５４は、図２（ｂ）に示すように、それぞれ、窓枠５２の開口部５２ａ側に設けられる小スリット５４ａと、窓枠５２の装着孔５０ａ側に設けられ小スリット５４ａよりも長尺の大スリット５４ｂとで構成されており、これらの大小スリット５４ｂ、５４ａは、それぞれ、開口部５２ａの側辺部と平行にかつ離間して設けられている。
【００２３】
蓋体５０の上部右側には、収音格子スリット５５が設けられており、この収音格子スリット５５に対応する蓋体５０の背面側には、親機マイク２３が取付けられている。また、中蓋５３の左側の背面側には、親機スピーカ２２が取付けられており、この親機スピーカ２２および親機マイク２３は、従来のインターホン親機と同様に、リード線（不図示）を介して図示しない回路基板に電気的に接続されている。
【００２４】
ＣＲＴカバー３は、テレビＣＲＴのテレビ表示部２１ａと略同形の透明なプラスチック樹脂成形板から成り、この成形板の４隅には、それぞれ、上述の中枠５０ｂの切欠部５０ｃと略同形の爪部３０が設けられ、これらの爪部３０の背面側には、図２（ｃ）に示すように、穴部５４を構成する小スリット５４ａに挿入される突起３０ａが下向きに連設されている。
【００２５】
パネル６は、上筐体５の装着孔５０ａの前面を被蓋する略四角形状の化粧蓋６０を備えており、この化粧蓋６０の上部にはテレビ表示部２１ａと略同形状の開口部６１が設けられている。また、化粧蓋６０の下部右側には、通話操作ボタン２４が設けられ、この通話操作ボタン２４の上部には出画操作ボタン２５が設けられている。更に、化粧蓋６０の下部右側には放音格子スリット６４が設けられ、この放音格子スリット６４の背面側には親機スピーカ２２が位置している。
【００２６】
次に、これらの、上、下筐体５、４、ＣＲＴカバー３およびパネル６の組立方法について説明する。図２において、先ず、下筐体４を構成する下枠体４１の上端部には、嵌合凹部（または嵌合凸部）が形成され、また、上筐体５を構成する上枠体５１の下端部には下筐体４の嵌合凹部（または嵌合凸部）と嵌合する嵌合凸部（または嵌合凹部）が設けられている。しかして、回路基板を介してテレビＣＲＴを取付けた下筐体４の前面を、図２に示すように、上筐体５で被蓋すると共に下枠体４１の嵌合凹部（または嵌合凸部）に上枠体５１の嵌合凸部（または嵌合凹部）を嵌合する。
【００２７】
次いで、ＣＲＴカバー３を多少湾曲させる如くして保持し、かつＣＲＴカバー３の突起３０ａを上筐体５の穴部５４を構成する小スリット５４ａにそれぞれ位置させて、これらの突起３０ａを小スリット５４ａに押し込むようにしてワンタッチ方式で穴部５４に嵌め込む。これにより、ＣＲＴカバー３が上筐体５に保持・固定される。ここで、穴部５４を構成する各大スリット５４ｂは、小スリット５４ａに対するＣＲＴカバー３の突起３０ａの押し込みを容易にするためのもので、ＣＲＴカバー３の突起３０ａを小スリット５４ａに押し込む際に、小スリット５４ａを広げる作用を呈する。
【００２８】
しかして、上筐体５の装着孔５０ａの前面に、パネル６をその開口部６１とテレビ表示部２１ａとを一致させて、すなわち、テレビ表示部２１ａの前面に取付けたＣＲＴカバー３を露出する如くして取付ける。これにより、ＣＲＴカバー３は、上筐体５とパネル６とで挟持して固定されることになる。
【００２９】
なお、前述の実施例においては、上筐体とパネルを分離したいわゆる分離型のインターホン親機について述べているが、本発明はこれに限定されず、上筐体とパネルとを一体化したいわゆる一体型のインターホン親機に適用してもよい。また、ＣＲＴカバーに設ける突起および上筐体に設ける穴部の個数は４個に限定されず、インターホン親機の大きさに応じて増減してもよい。更に、インターホン親機の親機送受話部は、親機スピーカと親機マイクとで構成されるものに限定されず、レシーバとマイクから成る通話用ハンドセットでもよい。
【００３０】
【発明の効果】
以上の説明から明らかなように、本発明によるテレビインターホン装置によれば、ＣＲＴカバーの突起を上筐体の穴部に挿入することにより、簡単に取付けることができ、また、ＣＲＴカバーの突起が上筐体の穴部に押し込むようにして取付けられていることから、若しくはＣＲＴカバーが上筐体とパネルとで挟持して固定されていることから、ＣＲＴカバーは上筐体から容易に離脱するおそれがない。
【図面の簡単な説明】
【図１】  本発明によるテレビインターホン装置の一実施例を示すシステム構成図。
【図２】  図２（ａ）は本発明におけるインターホン親機の分解斜視図、図２（ｂ）は図２（ａ）のＡ部拡大図、図２（ｃ）は図２（ａ）のＢ部拡大図。
【図３】  従来のテレビインターホン装置を示すシステム構成図。
【図４】  従来におけるインターホン親機の分解斜視図。
【符号の説明】
１・・・ドアホン子機
１１・・・テレビカメラ
１２・・・呼出ボタン
１３・・・子機スピーカ
１４・・・子機マイク
２・・・インターホン親機
２１・・・テレビＣＲＴ
２２・・・親機スピーカ
２３・・・親機マイク
２４・・・通話操作ボタン
２５・・・出画操作ボタン
３・・・ＣＲＴカバー
３０ａ・・・突起
５・・・上筐体
５４・・・穴部
６・・・パネル
【図１】
0004351370.tif 000002
【図２】
0004351370.tif 000003
【図３】
0004351370.tif 000004
【図４】
0004351370.tif 000005